(57)【要約】【課題】頭部の割れや台金の反りの発生を防ぐことができ、かつ従来よりも小さな加締め力によって確実に台金に固定することができるリベット型接点および当該リベット型接点の台金への固定方法を提供する。【解決手段】頭部１と、この頭部１よりも小径な円柱状の足部２とが一体に成形されたリベット型接点において、上記足部２の先端面に、外周部分２ａを残して凹部５を形成した。【選択図】図１
2017045665.tif 000002
【特許請求の範囲】
【請求項１】
頭部と、この頭部よりも小径な円柱状の足部とが一体に成形されたリベット型接点において、上記足部の先端面に、外周部分を残して凹部を形成したことを特徴とするリベット型接点。
【請求項２】
上記凹部は、底面が平坦な円形状に形成されるとともに、（上記凹部の内径ｄ）／（上記足部の外径Ｄ）≦０．９５であって、（上記凹部の深さＨ）≧０．０３の範囲となるように形成されていることを特徴とする請求項１に記載のリベット型接点。
【請求項３】
請求項１または２に記載の発明のリベット型接点を台金に固定する方法であって、
台金に形成された孔部に上記リベット型接点の足部を挿入した後に、当該足部の先端面の上記外周部分のみを押し潰して上記リベット型接点を上記台金に固定することを特徴とするリベット型接点の台金への固定方法。
【発明の詳細な説明】
【技術分野】
【０００１】
本発明は、各種のスイッチ等において電気的接点として用いられるリベット型接点および当該リベット型接点の台金への固定方法に関するものである。
【背景技術】
【０００２】
リベット型接点は、台金に固定されて各種のリレーやスイッチ等における電気的接点として用いられている（例えば下記特許文献１）。
【０００３】
図８（ａ）は、従来のこの種のリベット型接点を示すもので、端面１０ａが凸曲面の円板状の頭部１０と、この頭部１０よりも小径な円柱状の足部１１とが一体に成形されたものである。また、図８（ｂ）は、従来の他のリベット型接点を示すもので、端面１２ａが平坦な円板状の頭部１２と、この頭部１２よりも外径寸法が小さい円柱状の足部１３とが一体に成形されたものである。
【０００４】
そして、図８（ａ）に示したリベット型接点を台金に固定するには、先ず図９（ａ）に示すように、台金１４に穿設された円孔の孔部１５に足部１１を図中下側から挿通した後、加締めダイス１６に形成された凹部１６ａによって頭部１０を拘束し、さらに円筒状のストリッパー１７によって台金１４を押さえ付けた状態で、図９（ｂ）に示すように、下端面１８ａが平坦なポンチ１８により足部１１の先端面１１ａの全面を押圧して、先端面１１ａの全面を下方に押し潰し本加締めを行う。
【０００５】
また、他の固定方法としては、一旦下端面１８ａが平坦なポンチ１８によって足部１１の先端面１１ａの全面を押圧し、先端面１１ａの全面を下方に押し潰す一次加締めを行って足部１１の先端部を増径し、リベット型接点が台金１４から抜け落ちないように仮加締めを行った後に、図９（ｂ）に示した本加締めを行う方法もある。
【０００６】
このような従来のリベット型接点およびこれを台金１４に固定する方法にあっては、図１０に示すように、本加締め時に足部１１の先端面１１ａの全面を下方に押し潰した際、その加締め力に起因する応力が足部１１から頭部１０の全域にわたって作用することにより頭部１０が過剰に増径し、その結果頭部１０の外周部に割れが発生してしまうという問題があった。
【０００７】
加えて、足部１１の先端面１１ａの全面を下方に押し潰すために、ポンチ１８に大きな加締め力を加える必要があるとともに、足部１１も過度に増径する結果、図１１に示すように、台金１４の孔部１５の周縁にも歪みによる変形１９が発生し、この結果台金１４に反りが発生してしまうという問題点もあった。
【先行技術文献】
【特許文献】
【０００８】
【特許文献１】特開平１１−１６２２７６号公報
【発明の概要】
【発明が解決しようとする課題】
【０００９】
本発明は、上記事情に鑑みてなされたものであり、頭部の割れや台金の反りの発生を防ぐことができ、かつ従来よりも小さな加締め力によって確実に台金に固定することができるリベット型接点および当該リベット型接点の台金への固定方法を提供することを課題とするものである。
【課題を解決するための手段】
【００１０】
上記課題を解決するため、請求項１に記載の本発明に係るリベット型接点は、頭部と、この頭部よりも小径な円柱状の足部とが一体に成形されたリベット型接点において、上記足部の先端面に、外周部分を残して凹部を形成したことを特徴とするものである。
【００１１】
また、請求項２に記載の発明は、請求項１に記載の発明において、上記凹部は、底面が平坦な円形状に形成されるとともに、（上記凹部の内径ｄ）／（上記足部の外径Ｄ）≦０．９５であって、（上記凹部の深さＨ）≧０．０３の範囲となるように形成されていることを特徴とするものである。
【００１２】
次いで、請求項３に記載の発明は、請求項１または２に記載の発明のリベット型接点を台金に固定する方法であって、台金に形成された孔部に上記リベット型接点の足部を挿入した後に、当該足部の先端面の上記外周部分のみを押し潰して上記リベット型接点を上記台金に固定することを特徴とするものである。
【発明の効果】
【００１３】
請求項１または２に記載のリベット型接点および当該リベット型接点の台金への固定方法によれば、台金に形成された孔部にリベット型接点の足部を挿入した後に、当該足部の先端面における外周部分のみを押し潰すことにより、従来よりも小さな加締め力によって、確実にリベット型接点を台金に固定することができる。
【００１４】
この際に、リベット型接点の足部は、その先端面の外周部分のみが押し潰されるために、頭部や足部を増径させる応力が作用することが無く、よって頭部の外周部の割れを抑制することができるとともに、台金の孔部周縁における歪みの発生を抑えて台金の反りも軽減することができる。
【００１５】
さらに、上記足部の先端面に、外周部分を残して凹部を形成しているために、例えば当該リベット型接点を、Ａｇ−Ｓｎ系の合金やＡｇ−Ｓｎ−Ｉｎ系の合金によって成形する場合に、特に高価なＡｇの使用量を低減させることができ、経済性にも優れる。
【図面の簡単な説明】
【００１６】
【図１】（ａ）は本発明の一実施形態を示す正面図、（ｂ）は他の実施形態を示す正面図である。
【図２】本発明の本発明に係る台金への固定方法の一実施形態を説明するための縦断面図である。
【図３】図４の他の実施形態を説明するための縦断面図である。
【図４】図４および図５の本加締めの状態を示す縦断面図である。
【図５】（ａ）は図１（ａ）の変形例を示す正面図、（ｂ）は図１（ｂ）の変形例を示す正面図である。
【図６】（ａ）は図１（ａ）の他の変形例を示す正面図、（ｂ）は図１（ｂ）の他の変形例を示す正面図である。
【図７】本発明の他の実施形態およびその変形例を示す正面図である。
【図８】（ａ）は従来のリベット型接点を示す正面図、（ｂ）は従来の他のリベット型接点を示す正面図である。
【図９】図８（ａ）のリベット型接点の台金への固定方法を説明するための縦断面図である。
【図１０】図９の本加締めの状態を示す縦断面図である。
【図１１】（ａ）は台金の孔部周縁に歪みが生じた状態を示す縦断面図、（ｂ）はその結果台金に反りを生じた状態を示す縦断面図である。
【発明を実施するための形態】
【００１７】
図１（ａ）、（ｂ）は、それぞれ本発明に係るリベット型接点の一実施形態およびその変形例を示すものである。
図１（ａ）に示すリベット型接点は、端面１ａが凸曲面の円板状の頭部１と、この頭部１よりも小径な円柱状の足部２とがＡｇ−Ｓｎ系の合金やＡｇ−Ｓｎ−Ｉｎ系の合金によって一体に成形されたものである。
【００１８】
また、図１（ｂ）に示すリベット型接点は、端面３ａが平坦な円板状の頭部３と、この頭部３よりも小径であって、図１（ａ）に示したリベット型接点の足部２よりも軸線方向の長さ寸法が大きい足部４とが、図１（ａ）に示したものと同様にＡｇ−Ｓｎ系の合金やＡｇ−Ｓｎ−Ｉｎ系の合金によって一体に成形されたものである。
【００１９】
そして、これらのリベット型接点においては、いずれも足部２、４の先端面に、円環状の外周部分２ａ、４ａを残して底面５ａが平坦な円形の凹部５が形成されている。ここで、凹部５は、その内径ｄと足部２、４の外径Ｄが、ｄ／Ｄ≦０．９５になるように形成されている。また、先端面２ａ、４ａから凹部５の底面５ａまでの深さ寸法Ｈは、Ｈ≧０．０３に形成されている。
【００２０】
次いで、図２に基づいて、図１（ａ）に示したリベット型接点を用いた本発明に係るリベット型接点の台金への固定方法の一実施形態について説明する。
上記リベット型接点を台金６に固定するには、先ず図２（ａ）に示すように、台金６に穿設された円孔の孔部６ａに足部２を図中下側から挿通した後、従来と同様にして加締めダイス１６に形成された凹部１６ａによって頭部１を拘束する。
【００２１】
次に、この固定方法においては、図２（ｂ）に示すように、円筒状のストリッパー１７によって台金６を押さえ付けるとともに、下端面１８ａが平坦なポンチ１８により、足部２の先端面に形成されている円環状の外周部分２ａのみを押し潰す本加締めを行って当該リベット型接点を台金６に固定する。
【００２２】
また、図３は、本発明に係るリベット型接点の台金への固定方法の他の実施形態を示すものである。
この固定方法においては、図３（ａ）に示すように、台金６の孔部６ａに足部２を図中下側から挿通した後、加締めダイス１６に形成された凹部１６ａによって頭部１を拘束し、次いで図３（ｂ）に示すように、円筒状のストリッパー１７によって台金６を押さえ付けるとともに、下端面１８ａが平坦なポンチ１８によって足部２の先端面に形成されている円環状の外周部分２ａのみを幾分押し潰して、リベット型接点が台金６から抜け落ちないように仮加締めを行う。
【００２３】
そして次に、図３（ｃ）に示すように、ポンチ１８によって足部２の先端面に形成されている円環状の外周部分２ａのみをさらに押し潰す上記本加締めを行う。
【００２４】
以上説明したように、上記構成からなるリベット型接点および台金への固定方法によれば、台金６に形成された孔部６ａにリベット型接点の足部２（４）を挿入した後に、本加締めにおいて足部２（４）の先端面における外周部分２ａ（４ａ）のみを押し潰すことにより、従来よりも小さな加締め力によって、確実にリベット型接点を台金に固定することができる。
【００２５】
しかも、図５に示すように、リベット型接点の足部２（４）は、その先端面の外周部分２ａ（４ａ）のみが押し潰されるために、頭部１（３）や足部２（４）を増径させる応力が作用することが無く、よって頭部１（３）の外周部の割れを抑制することができるとともに、台金６の孔部６ａの周縁における歪みの発生を抑えて台金の反りを軽減することができる。
【００２６】
さらに、足部２（４）の先端面に、外周部分２ａ（４ａ）を残して凹部５を形成しているために、Ａｇ−Ｓｎ系の合金やＡｇ−Ｓｎ−Ｉｎ系の合金によって成形する場合に、特に高価なＡｇの使用量を低減させることができ、経済性にも優れる。
【００２７】
なお、上記実施形態においては、いずれも足部２、４の先端面に、円環状の外周部分２ａ、４ａを残して底面５ａが平坦な円形の凹部５を形成した場合についてのみ示したが、本発明はこれに限定されるものではなく、例えば図５（ａ）、（ｂ）に示すように、足部２、４の先端面に、円環状の外周部分２ａ、４ａを残して底面７ａが球面状の凹部７を形成してもよく、あるいは図６（ａ）、（ｂ）に示すように、足部２、４の先端面に、円環状の外周部分２ａ、４ａを残して底面８ａが円錐面状の凹部８を形成してもよい。
【００２８】
さらには、図７（ａ）〜（ｆ）に示すように、足部２、４の先端部外周に、台金６の孔部６ａへの挿入を容易にするための面取り部９を形成したリベット型接点にも、同様に適用することができる
【符号の説明】
【００２９】
１、３  頭部
２、４  足部
２ａ、４ａ  先端面の外周部分
５、７、８  凹部
５ａ、７ａ、８ａ  底面
６  台金
６ａ  孔部
【図１】
2017045665.tif 000003
【図２】
2017045665.tif 000004
【図３】
2017045665.tif 000005
【図４】
2017045665.tif 000006
【図５】
2017045665.tif 000007
【図６】
2017045665.tif 000008
【図７】
2017045665.tif 000009
【図８】
2017045665.tif 000010
【図９】
2017045665.tif 000011
【図１０】
2017045665.tif 000012
【図１１】
2017045665.tif 000013
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
頭部と、この頭部よりも小径な円柱状の足部とが一体に成形され、台金の孔部に挿入された上記足部の先端面が加締められることにより上記台金に固定されるリベット型接点において、
上記足部の先端面に、円環状の外周部分を残して、内径寸法が上記先端面側から上記頭部側に向けて漸次小さくなる凹部を形成したことを特徴とするリベット型接点。
【請求項２】
上記凹部は、底面が平坦な円形状に形成されるとともに、（上記凹部の内径ｄ）／（上記足部の外径Ｄ）≦０．９５であることを特徴とする請求項１に記載のリベット型接点。
【請求項３】
頭部と、この頭部よりも小径な円柱状の足部とが一体に成形されるとともに、上記足部の先端面に、円環状の外周部分を残して、内径寸法が上記先端面側から上記頭部側に向けて漸次小さくなる凹部が形成されたリベット型接点を台金に固定する方法であって、
台金に形成された孔部に上記リベット型接点の足部を挿入した後に、当該足部の先端面の上記外周部分のみを押し潰して上記リベット型接点を上記台金に固定することを特徴とするリベット型接点の台金への固定方法。
【請求項４】
上記凹部は、底面が平坦な円形状に形成されるとともに、（上記凹部の内径ｄ）／（上記足部の外径Ｄ）≦０．９５であることを特徴とする請求項３に記載のリベット型接点の台金への固定方法。
【手続補正２】
【補正対象書類名】明細書
【補正対象項目名】００１０
【補正方法】変更
【補正の内容】
【００１０】
上記課題を解決するため、請求項１に記載の本発明に係るリベット型接点は、頭部と、この頭部よりも小径な円柱状の足部とが一体に成形され、台金の孔部に挿入された上記足部の先端面が加締められることにより上記台金に固定されるリベット型接点において、上記足部の先端面に、円環状の外周部分を残して、内径寸法が上記先端面側から上記頭部側に向けて漸次小さくなる凹部を形成したことを特徴とするものである。
【手続補正３】
【補正対象書類名】明細書
【補正対象項目名】００１１
【補正方法】変更
【補正の内容】
【００１１】
また、請求項２に記載の発明は、請求項１に記載の発明において、上記凹部は、底面が平坦な円形状に形成されるとともに、（上記凹部の内径ｄ）／（上記足部の外径Ｄ）≦０．９５であることを特徴とするものである。
【手続補正４】
【補正対象書類名】明細書
【補正対象項目名】００１２
【補正方法】変更
【補正の内容】
【００１２】
次いで、請求項３に記載の発明は、頭部と、この頭部よりも小径な円柱状の足部とが一体に成形されるとともに、上記足部の先端面に、円環状の外周部分を残して、内径寸法が上記先端面側から上記頭部側に向けて漸次小さくなる凹部が形成されたリベット型接点を台金に固定する方法であって、台金に形成された孔部に上記リベット型接点の足部を挿入した後に、当該足部の先端面の上記外周部分のみを押し潰して上記リベット型接点を上記台金に固定することを特徴とするものである。
【手続補正５】
【補正対象書類名】明細書
【補正対象項目名】００１３
【補正方法】変更
【補正の内容】
【００１３】
請求項１または２に記載のリベット型接点および請求項３または４に記載の当該リベット型接点の台金への固定方法によれば、台金に形成された孔部にリベット型接点の足部を挿入した後に、当該足部の先端面における外周部分のみを押し潰すことにより、従来よりも小さな加締め力によって、確実にリベット型接点を台金に固定することができる。